(57)【要約】【課題】  水密構造として、従来から実施されている凹凸形状の下部戸当金物がある。凸形状の下部戸当金物を設置すると、床面に段差が発生する。段差は、通行、清掃等に障害がある。また、段差に、スロープを設置する場合には、手間と経費が掛かり、かつ体裁が悪い等の課題が残る。また、凹形状の下部戸当金物を設置すると、床面に溝が発生する。溝は、通行、清掃等に障害がある。また、溝による転倒発生の課題もある。【解決手段】  発明は、スイング式防水扉に設ける水密ゴムによる水密構造で、水密ゴムは、防水扉の桁寸法を備え、かつ防水扉が開扉状態では、床面に埋没し、防水扉が閉扉状態では、床面より突出し、水密ゴムの没出、又は嵌脱を司る操作手段を、防水扉に付設する構成とすることで、床面に段差を設けなくても、水密構造を構築できる。【選択図】      図２
2014173374.tif 000002
【特許請求の範囲】
【請求項１】
スイング式防水扉に設ける水密ゴムによる水密構造であり、
前記水密ゴムは、防水扉の桁寸法を備え、かつこの防水扉が開扉状態では、床面に埋没するとともに、この防水扉が閉扉状態では、床面より突出する構造とし、
この水密ゴムの没出、又は嵌脱を司る操作手段を、前記防水扉に付設する構成としたスイング式防水扉に設ける水密ゴムによる水密構造。
【請求項２】
請求項１に記載のスイング式防水扉に設ける水密ゴムによる水密構造であって、
前記操作手段は、前記防水扉本体の閉塞時の前記床面に、この防水扉本体の下端に設けた空間の下側で、かつ桁方向に開設した溝に軸支した軸と、この軸に設けた回転式戸当敷金物と、この戸当敷金物を持上げる持上げ手段とで構成し、
また、前記水密ゴムは、この戸当金物の下端に設ける構成としたスイング式防水扉に設ける水密ゴムによる水密構造。
【請求項３】
請求項２に記載のスイング式防水扉に設ける水密ゴムによる水密構造であって、
前記防水扉が当接する戸当金物に、前記操作手段と、前記水密ゴムが挿入できる空間を設ける構成としたスイング式防水扉に設ける水密ゴムによる水密構造。
【請求項４】
請求項１、又は請求項３に記載のスイング式防水扉に設ける水密ゴムによる水密構造であって、
前記操作手段は、前記防水扉とは分離され、かつ前記空間に挿入、又は脱抜される、前記防水扉の桁寸法を備えた戸当敷金物とし、
また、前記水密ゴムは、この戸当敷金物の下端に設ける構成としたスイング式防水扉に設ける水密ゴムによる水密構造。
【請求項５】
請求項４に記載のスイング式防水扉に設ける水密ゴムによる水密構造であって、
前記操作手段は、前記防水扉とは分離され、かつ前記空間に挿入、又は脱抜される、前記防水扉の桁寸法を備えた戸当敷金物とし、
この戸当敷金物に磁性体を付与する構成としたスイング式防水扉に設ける水密ゴムによる水密構造。
【発明の詳細な説明】
【技術分野】
【０００１】
本発明は、スイング式防水扉に設ける水密ゴムによる水密構造に関する。詳しくは、スイング式防水扉（観音開き防水扉）における水密を確保する水密ゴムによる水密構造に関する。
【背景技術】
【０００２】
周知の如く、防水扉を閉扉した状態では、防水扉の下端と、床面（地上、又は下部戸当金物）との間は、水密状態を確保する必要がある。その為に、種々の水密構造が提案されている。そして、特に問題となるのが、スイング式防水扉である。その理由は、扉本体が円弧軌跡で可動する故、この防水扉の底面に設けたシールの下端（自由端）を、床面に接するように支持できないことである。
【０００３】
この水密構造として、従来から実施されているのが、凹凸形状の下部戸当金物である。しかし、この凸形状の下部戸当金物を設置すると、床面に段差が発生する。この段差は、通行、清掃等に障害がある。また、段差に、スロープを設置する場合には、手間と経費が掛かり、かつ体裁が悪い等の課題が残る。また、凹形状の下部戸当金物を設置すると、床面に溝が発生する。この溝は、通行、清掃等に障害がある。また、溝による転倒発生の課題もある。
【０００４】
この障害と課題を解決するために、これまでにも、後述するような、種々の構造が提案されているが、需要者の要望を、満足するに到っていないのが現況である。以下、文献を参考に説明する。
【０００５】
特開２０１１−９４３３２号公報「文献（１）とする」に記載された両開き扉装置の防水扉の水密構造は、［０００９］に記載の如く、扉枠の竪横枠にシール部材を取付ける構造であり、地面に段差が発生する（図２、図３参照）。この段差は、前述した如く、障害と課題が残る。
【０００６】
特開２００９−２８１１０５号公報「文献（２）とする」に記載された防水扉装置は、収納移動するとともに、所定の位置で降下して防水する構造であって、シール材は、防水扉の下端に設けた複数の支持材を介して、下端より突設形成される。また、床面には、シール材が接触する水密部材が湾曲状に設置されている。この構造では、スイング式防水扉には、採用できないと思われる。
【０００７】
【特許文献１】特開２０１１−９４３３２号公報
【特許文献２】特開２００９−２８１１０５号公報
【発明の概要】
【発明が解決しようとする課題】
【０００８】
上記に鑑み、本発明は、スイング式防水扉に適する水密構造を提供する。その意図とする処は、下記の点である。
［イ］  床面に段差を設けなくても、水密構造を構築できる。
［ロ］  水密ゴムを操作手段で、昇降することで、開扉と閉扉の状態に順応できる。
［ハ］  水密ゴムを操作手段で、降下することで、閉扉時の水密を確保できる。
［ニ］  操作手段が、手動式とする場合には、簡易・簡便、無動力、設置場所の限定がない等の利点がある。
［ホ］  操作手段が、自動式とする場合には、容易な操作が可能、緊急時に瞬時対応可能、遠隔操作が可能等の利点がある。
［ヘ］  水密ゴムの確実な、床面より離接が図れる。
【課題を解決するための手段】
【０００９】
前述の［イ］〜［ニ］を達成するために、請求項１〜請求項７を提供する。
【００１０】
請求項１は、スイング式防水扉に設ける水密ゴムによる水密構造であり、
前記水密ゴムは、防水扉の桁寸法を備え、かつこの防水扉が開扉状態では、床面に埋没するとともに、この防水扉が閉扉状態では、床面より突出する構造とし、
この水密ゴムの没出、又は嵌脱を司る操作手段を、前記防水扉に付設する構成としたスイング式防水扉に設ける水密ゴムによる水密構造である。
【００１１】
請求項２は、請求項１に記載のスイング式防水扉に設ける水密ゴムによる水密構造であって、
前記操作手段は、前記防水扉本体の閉塞時の前記床面に、この防水扉本体の下端に設けた空間の下側で、かつ桁方向に開設した溝に軸支した軸と、この軸に設けた回転式戸当敷金物と、この戸当敷金物を持上げる持上げ手段とで構成し、
また、前記水密ゴムは、この戸当金物の下端に設ける構成としたスイング式防水扉に設ける水密ゴムによる水密構造である。
【００１２】
請求項３は、請求項２に記載のスイング式防水扉に設ける水密ゴムによる水密構造であって、
前記防水扉が当接する戸当金物に、前記操作手段と、前記水密ゴムが挿入できる空間を設ける構成としたスイング式防水扉に設ける水密ゴムによる水密構造である。
【００１３】
請求項４は、請求項１、又は請求項３に記載のスイング式防水扉に設ける水密ゴムによる水密構造であって、
前記操作手段は、前記防水扉とは分離され、かつ前記空間に挿入、又は脱抜される、前記防水扉の桁寸法を備えた戸当敷金物とし、
また、前記水密ゴムは、この戸当敷金物の下端に設ける構成としたスイング式防水扉に設ける水密ゴムによる水密構造である。
【００１４】
請求項５は、請求項４に記載のスイング式防水扉に設ける水密ゴムによる水密構造であって、
前記操作手段は、前記防水扉とは分離され、かつ前記空間に挿入、又は脱抜される、前記防水扉の桁寸法を備えた戸当敷金物とし、
この戸当敷金物に磁性体を付与する構成としたスイング式防水扉に設ける水密ゴムによる水密構造である。
【発明の効果】
【００１５】
請求項１の発明は、スイング式防水扉に設ける水密ゴムによる水密構造であり、
水密ゴムは、防水扉の桁寸法を備え、かつ防水扉が開扉状態では、床面に埋没し、防水扉が閉扉状態では、床面より突出し、
水密ゴムの没出、又は嵌脱を司る操作手段を、防水扉に付設する構成とすることで、下記の特徴が発揮できる。
［イ］  床面に段差を設けなくても、水密構造を構築できる。
［ロ］  水密ゴムを操作手段で、昇降することで、開扉と閉扉の状態に順応できる。
［ハ］  水密ゴムを操作手段で、降下することで、閉扉時の水密を確保できる。
【００１６】
請求項２の発明は、操作手段は、防水扉本体の閉塞時の床面に、防水扉本体の下端に設けた空間下側で、かつ桁方向に開設した溝に軸支した軸と、軸に設けた回転式戸当敷金物と、戸当敷金物を持上げる持上げ手段とで構成し、
また、水密ゴムは、戸当金物の下端に設ける構成とすることで、前記［イ］〜［ハ］の他に、下記の特徴が発揮できる。
［ニ］  操作手段が、手動式とする場合には、簡易・簡便、無動力、設置場所の限定がない等の利点がある。
［ホ］  操作手段が、自動式とする場合には、容易な操作が可能、緊急時に瞬時対応可能、遠隔操作が可能等の利点がある。
［ヘ］  水密ゴムの確実な、床面より離接を図れる。
【００１７】
請求項３の発明は、防水扉が当接する戸当金物に、操作手段と、水密ゴムが挿入できる空間を設ける構成とすることで、前記［イ］〜［ヘ］の特徴が発揮できる。
【００１８】
請求項４の発明は、操作手段は、防水扉とは分離され、かつ空間に挿入、又は脱抜される、前記防水扉の桁寸法を備えた戸当敷金物とし、
また、水密ゴムは、戸当敷金物の下端に設ける構成とすることで、前記［イ］〜［ヘ］の特徴が発揮できる。
【００１９】
請求項５の発明は、操作手段は、防水扉とは分離され、かつ空間に挿入、又は脱抜される、防水扉の桁寸法を備えた戸当敷金物とし、
戸当敷金物に磁性体を付与する構成とすることで、前記［イ］〜［ヘ］の特徴が発揮できる。
【図面の簡単な説明】
【００２０】
【図１】第一実施例であって、スイング式防水扉を示した平面図
【図２】第一実施例であって、スイング式防水扉を示した正面図
【図３−１】第一実施例であって、水密ゴムが床面に陥没し出入口が開放している状態を示した模式図
【図３−２】第一実施例であって、水密ゴムが床面より突出した出入口が閉塞している状態を示した模式図
【図４】第一実施例であって、水密ゴムと操作手段の動きと、防水扉との関係を示した拡大模式図
【図５】第一実施例であって、水密ゴムと操作手段を示した要部拡大斜視図
【図６】第二実施例であって、スイング式防水扉を示した平面図
【図７】第二実施例であって、スイング式防水扉を示した正面図
【図８−１】第二実施例であって、水密ゴムを空間より取外（脱外）した出入口が開放している状態を示した模式図
【図８−２】第二実施例であって、水密ゴムを空間に嵌め込んだ（嵌合した）出入口が閉塞している状態を示した模式図
【図９】第二実施例であって、水密ゴムと操作手段を示した要部斜視図
【発明を実施するための形態】
【００２１】
第一実施例の図１、図２と、第二実施例の図８−１、図８−２に示した片持ちで、単体でなる（主として小型）方式のスイング式防水扉Ａを説明すると、防水扉本体１と、この防水扉本体１を収容する袋部２と、防水扉本体１と袋部２に設けた軸３により開閉自在に建物Ｈに枢着する。この防水扉本体１の下端１ａには、水密ゴム５が操作手段６を介して取付けられる。この操作手段６の動作で、水密ゴム５（水密水密ゴム）が、床面ＧＬ（下部戸当敷金物を含む）に離接する（水密解除と水密確保を図る）。図中７は蝶番を示す。また、床面ＧＬにレールを設け、図示しない、防水扉本体１の下端１ａに設けたキャスターが通る構造である。尚、水密ゴム５の下端に、水密性、接触性、又は耐久性等を目的として、溝、スリットの凹凸とか、凹凸条、末広がり等の形状にすることも有効である。
【００２２】
図１〜図４に示した第一実施例における、水密ゴム５と操作手段６の構造を説明する。操作手段６は、防水扉本体１の閉塞時の床面ＧＬにおいて、この防水扉本体の下端１ａに設けた空間８の下側で、かつ桁方向Ｄに開設した曲面部６０ａを有する溝６０と、この溝６０に軸支した軸６１と、この軸６１に設けた回転式の戸当敷金物６２と、この戸当敷金物６２の回転自由端６２ａに設けた曲面端部６２ｂで構成する。この戸当敷金物６２の下端６２ｃには水密ゴム５が設けられる。尚、戸当敷金物６２が、溝６０に陥没された状態が下死点Ｂ１で、床面ＧＬに突出した状態が上死点Ｂ２である。
【００２３】
この例では、浸水状況となった際に、防水扉Ａを、前記蝶番７とキャスター、並びにレール等の機材を利用して、閉扉から開扉に向かって移動し、出入口Ｃを閉塞する。その後、戸当敷金物６２を引上げが、この際に溝６０の曲面部６０ａと、戸当敷金物６２の曲面端部６２ｂを利用して、図４の下死点Ｂ１から、その上死点Ｂ２に向かって、スムースに引上げることができる。引上げられた戸当敷金物６２は、曲面を有する空間８に設けた回転スペース８ａを移動し、防水扉本体１の下側１−１に設置されるとともに、図４に示す如く、水密ゴム５が、床面ＧＬに水密に接触する（床面ＧＬし防水扉Ａとの隙間Ｅをなくす）。また、この戸当敷金物６２、及び水密ゴム５に対して、水圧が掛っても、防水扉本体１の下端１ａの残り端部１ｂの剛性、並びに軸６１、及び／又は、水密ゴム５の剛性等で補填できるので、変形を防止しつつ、浸水防止を図る。
【００２４】
そして、必要により、停止手段を利用して、この水密ゴム５の床面ＧＬへの水密状態が確保される。尚、前記下死点Ｂ１は、図示しない、ロック手段で固定し、床面ＧＬと面一にする。さらに、ロック手段を開放した際に、図示しない、スプリングで、戸当敷金物６２、及び水密ゴム５が僅か突出する構造も有効である。そして、この戸当敷金物６２、及び水密ゴム５を、溝６０に収容する時には、停止手段を解除し、前述と逆の操作で、復帰し（収容した後）、ロック手段を閉鎖する。尚、防水扉Ａの縦枠、戸当金物との間にも、図示しないが、シールを敷設する。
【００２５】
図８−１〜図９に示した第二実施例における、水密ゴム５と操作手段６の構造を説明する。操作手段６は、防水扉本体１（防水扉Ａ）の下端１ａに設けた空間８に挿入、又は脱抜される桁方向Ｄの桁寸法６００を有する戸当敷金物６０１と、この戸当敷金物６０１に設けた持上げ兼引掛け用の持ち手、凹・凸（図示せず）とで構成し、この戸当敷金物６０１の下端６０１ａには、末広がり、凹凸条等の水密ゴム５を設ける構造である。
【００２６】
この例では、浸水状況となった際に、防水扉Ａを、前記蝶番７とキャスター、並びにレール等の機材を利用して、閉扉から開扉に向かって移動し、出入口Ｃを閉塞する。その後、戸当敷金物６２を持上げ、空間８に運び設置する。即ち、図８−１から図８−２の如く、水密ゴム５が、空間８の床面ＧＬに接触する。この接触で防水扉Ａの下端（防水扉本体１の下端１ａ）における水密が確保されることと、戸当敷金物６２の剛性（水密ゴム５の剛性利用も可能）を利用して、水圧に対応し、水密ゴム５の変形を防止して、浸水防止を図る。その他は、前述の第一実施例に準ずる。また、防水扉Ａを、袋部２に収容するには、空間８より、戸当敷金物６２を持上げ、所定の処に移動し、防水扉Ａを戻すことで作業終了である。その他の構造と、動きは、第二実施例に準ずる。
【００２７】
以上で説明した各構造は、本発明の好ましい一例の説明である。従って、本発明は前述した各実施例に限定されるものではなく、発明の趣旨の範囲において構成の一部を変更する構造とか、同じ特徴と効果を達成できる構造、等は、本発明の範疇である。
【符号の説明】
【００２８】
１          防水扉本体
１ａ        下端
１ｂ        本体端部
１−１      下側
２          袋部
３          軸
５          水密ゴム
６          操作手段
６０        溝
６０ａ      曲面部
６１        軸
６２        戸当敷金物
６２ａ      自由端
６２ｂ      曲面端部
６２ｃ      下端
６００      桁寸法
６０１      戸当敷金物
７          蝶番
８          空間
８ａ        空間スペース
Ａ          防水扉
Ｂ１        上死点
Ｂ２        下死点
Ｃ          出入口
Ｄ          桁方向
Ｅ          隙間
Ｈ          建物
ＧＬ        床面
【図１】
2014173374.tif 000003
【図２】
2014173374.tif 000004
【図３−１】
2014173374.tif 000005
【図３−２】
2014173374.tif 000006
【図４】
2014173374.tif 000007
【図５】
2014173374.tif 000008
【図６】
2014173374.tif 000009
【図７】
2014173374.tif 000010
【図８−１】
2014173374.tif 000011
【図８−２】
2014173374.tif 000012
【図９】
2014173374.tif 000013